(57)【要約】【課題】安定した状態でのハンドル操作と、窓部周辺の意匠性の確保とを両立させつつ、施工時間の短縮を図ることができるハンドル補強構造を得る。【解決手段】オペレータハンドル１２の下方側に支持部４６Ａが配置されており、当該支持部４６Ａによってオペレータハンドル１２の基部３６が支持される。これにより、オペレータハンドル１２のハンドル３４が操作されるときに基部３６がぐらつくことを抑制することができる。また、支持部４６Ａと一体に覆い部４６Ｂが設けられており、覆い部４６Ｂによってオペレータハンドル１２の取付箇所を覆うことができる。【選択図】図１
2020045691.tif 000002
【特許請求の範囲】
【請求項１】
操作されることで障子を駆動させる操作部と当該操作部が取り付けられた基部とを備えたハンドルの下方側に一部又は全部が配置されて当該基部を支持する支持部と、
前記支持部と一体に設けられると共に、前記ハンドルの取付箇所又は前記障子が配置されたサッシ枠の固定箇所を覆う覆い部と、
を備えている、
ハンドル補強構造。
【請求項２】
前記基部は、前記障子が配置されたサッシ枠の下枠に取付部材で取り付けられており、
前記覆い部は、前記基部における前記取付部材による前記取付箇所を覆っている、
請求項１に記載のハンドル補強構造。
【請求項３】
前記障子が配置されたサッシ枠の下枠には、当該障子と反対側に延出されて窓台に沿って配置されると共に固定部材で当該窓台に固定された固定片部が設けられており、
前記覆い部は、前記固定片部における前記固定部材による前記固定箇所を覆っている、
請求項１に記載のハンドル補強構造。
【請求項４】
前記ハンドルは、前記操作部が操作されることで回動するオペレータハンドルとされており、
前記支持部は、前記基部における前記操作部側の部分の下方側を支持可能に配置されている、
請求項１〜請求項３の何れか１項に記載のハンドル補強構造。
【発明の詳細な説明】
【技術分野】
【０００１】
本発明は、ハンドル補強構造に関する。
【背景技術】
【０００２】
下記特許文献１には、サッシ用ハンドルの取付構造に関する発明が開示されている。このサッシ用ハンドルの取付構造では、オペレータハンドルを備えており、オペレータハンドルの操作レバー（操作部）を回動させることで障子が開閉するようになっている。
【先行技術文献】
【特許文献】
【０００３】
【特許文献１】特開２００１−９０４３５号公報
【発明の概要】
【発明が解決しようとする課題】
【０００４】
しかしながら、上記特許文献１に記載の先行技術では、オペレータハンドルの取付台座（基部）と、サッシ枠の建物下方側の部分を構成する下枠の上面との間に隙間があり、操作レバーが操作されるときに取付台座がぐらついて操作レバーを安定した状態で操作することが困難になることが考えられる。
【０００５】
また、窓部周辺の意匠性を確保するため、オペレータハンドルの取付箇所やサッシ枠の固定箇所を化粧部材等で覆い隠すことが考えられる。しかしながら、オペレータハンドルを支持する部材及び化粧部材を別々に配置することは、施工時間を短縮するという観点において好ましくない。
【０００６】
本発明は上記事実を考慮し、安定した状態でのハンドル操作と、窓部周辺の意匠性の確保とを両立させつつ、施工時間の短縮を図ることができるハンドル補強構造を得ることが目的である。
【課題を解決するための手段】
【０００７】
第１の態様に係るハンドル補強構造は、操作されることで障子を駆動させる操作部と当該操作部が取り付けられた基部とを備えたハンドルの下方側に一部又は全部が配置されて当該基部を支持する支持部と、前記支持部と一体に設けられると共に、前記ハンドルの取付箇所又は前記障子が配置されたサッシ枠の固定箇所を覆う覆い部と、を備えている。
【０００８】
第１の態様に係るハンドル補強構造では、ハンドルが操作部と当該操作部が取り付けられた基部とを備えると共に、当該操作部が操作されることで障子が駆動される。
【０００９】
ところで、基部の下方側に配置された部材と当該基部との間に隙間がある場合には、操作部が操作されるときに基部がぐらついて当該操作部を安定した状態で操作することが困難になることが考えられる。
【００１０】
ここで、本態様では、ハンドルの下方側に支持部の一部又は全部が配置されており、当該支持部によってハンドルの基部が支持される。これにより、ハンドルの操作部が操作されるときに基部がぐらつくことを抑制することができる。
【００１１】
ところで、窓部周辺の意匠性を確保するにあたって、ハンドルの取付箇所や障子が配置されたサッシ枠の固定箇所は、化粧部材等で覆い隠されていることが好ましい。しかしながら、支持部及び化粧部材を別々の部材にすることは、施工時間を短縮するという観点において好ましくない。
【００１２】
ここで、本態様では、支持部と一体に覆い部が設けられており、当該覆い部によってハンドルの取付箇所又は障子が配置されたサッシ枠の固定箇所を覆うことができる。これにより、支持部の配置と覆い部の配置とを一回の作業で行うことができる。
【００１３】
第２の態様に係るハンドル補強構造は、第１の態様に係るハンドル補強構造において、前記基部は、前記障子が配置されたサッシ枠の下枠に取付部材で取り付けられており、前記覆い部は、前記基部における前記取付部材による前記取付箇所を覆っている。
【００１４】
第２の態様に係るハンドル補強構造では、ハンドルの基部が、障子が配置されたサッシ枠の下枠に取付部材で取り付けられている。
【００１５】
ところで、取付部材が露出している状態だとサッシ枠におけるハンドル周辺の意匠性が損なわれることが考えられる。また、支持部と覆い部とを一体化するにあたって、これらの大型化を抑制できることが好ましい。
【００１６】
ここで、本態様では、ハンドルの基部における取付部材による取付箇所が、覆い部によって覆われている。このため、取付部材を覆い部で覆い隠すことができると共に、支持部の配置位置と覆い部の配置位置とを近接させることができる。
【００１７】
第３の態様に係るハンドル補強構造は、第１の態様に係るハンドル補強構造において、前記障子が配置されたサッシ枠の下枠には、当該障子と反対側に延出されて窓台に沿って配置されると共に固定部材で当該窓台に固定された固定片部が設けられており、前記覆い部は、前記固定片部における前記固定部材による前記固定箇所を覆っている。
【００１８】
第３の態様に係るハンドル補強構造では、障子が配置されたサッシ枠の下枠に固定片部が設けられており、当該固定片部は、当該障子と反対側に延出されて窓台に沿って配置されると共に固定部材で当該窓台に固定されている。
【００１９】
ところで、固定部材が露出している状態だとサッシ枠の下枠並びにその周辺部の意匠性が損なわれることが考えられる。また、支持部と覆い部とを一体化するにあたって、これらの大型化を抑制できることが好ましい。
【００２０】
ここで、本態様では、サッシ枠の下枠の固定片部における固定部材による固定箇所が、覆い部によって覆われている。このため、固定部材を覆い部で覆い隠すことができると共に、支持部の配置位置と覆い部の配置位置とを近接させることができる。
【００２１】
第４の態様に係るハンドル補強構造は、第１の態様〜第３の態様の何れか１態様に係るハンドル補強構造において、前記ハンドルは、前記操作部が操作されることで回動するオペレータハンドルとされており、前記支持部は、前記基部における前記操作部側の部分の下方側を支持可能に配置されている。
【００２２】
第４の態様に係るハンドル補強構造では、オペレータハンドルの操作部が操作されることで当該操作部が回動する。このとき、基部には、操作部が操作されるときの操作力によってモーメントが発生することとなる。
【００２３】
ここで、本態様では、支持部が、基部における操作部側の部分の下方側を支持可能に配置されているため、操作部が操作されるときの操作力によって基部に発生するモーメントが大きくなることを抑制することができる。
【発明の効果】
【００２４】
以上説明したように、第１の態様に係るハンドル補強構造では、安定した状態でのハンドル操作と、窓部周辺の意匠性の確保とを両立させつつ、施工時間の短縮を図ることができるという優れた効果を有する。
【００２５】
第２の態様に係るハンドル補強構造では、サッシ枠におけるハンドルの周辺の意匠性を確保しつつ、支持部及び覆い部の大型化を抑制することができるという優れた効果を有する。
【００２６】
第３の態様に係るハンドル補強構造では、サッシ枠におけるハンドル周辺及び窓台におけるハンドル周辺の意匠性を確保しつつ、支持部及び覆い部の大型化を抑制することができるという優れた効果を有する。
【００２７】
第４の態様に係るハンドル補強構造では、安定した状態でオペレータハンドルの操作部を操作することができるという優れた効果を有する。
【図面の簡単な説明】
【００２８】
【図１】第１実施形態に係るハンドル補強構造において、支持部材の支持部とハンドルの基部との関係を示す縦断面図（図４の１−１線に沿って切断した状態を示す断面図）である。
【図２】第１実施形態に係るハンドル補強構造において、支持部材の覆い部とハンドルの基部との関係を示す縦断面図（図４の２−２線に沿って切断した状態を示す断面図）である。
【図３】第１実施形態に係るハンドル補強構造における支持部材の構成を示す斜視図である。
【図４】第１実施形態に係るハンドル補強構造において、ハンドルと支持部材との関係を示す正面図である。
【図５】第１実施形態に係るハンドル補強構造が適用されたすべり出し窓の構成を示す縦断面図（図４の２−２線に沿って切断した状態を示す断面図）である。
【図６】第２実施形態に係るハンドル補強構造において、ハンドルと支持部材との関係を示す正面図である。
【図７】第２実施形態に係るハンドル補強構造における支持部材の構成を示す斜視図である。
【図８】第２実施形態に係るハンドル補強構造が適用されたすべり出し窓において、サッシ枠の下枠と支持部材の覆い部との関係を示す縦断面図（図６の８−８線に沿って切断した状態を示す断面図）である。
【図９】第２実施形態に係るハンドル補強構造が適用されたすべり出し窓において、サッシ枠の下枠と支持部材の支持部との構成を示す縦断面図（図６の９−９線に沿って切断した状態を示す断面図）である。
【図１０】第３実施形態に係るハンドル補強構造において、支持部材とハンドルの基部との関係を示す縦断面図である。
【図１１】第４実施形態に係るハンドル補強構造において、支持部材とハンドルの基部との関係を示す縦断面図である。
【発明を実施するための形態】
【００２９】
＜第１実施形態＞
以下、図１〜図５を用いて、本発明の第１実施形態に係るハンドル補強構造について説明する。まず、図５を主に用いて、本実施形態に係るハンドル補強構造が適用されたすべり出し窓１０及びハンドルとしての「オペレータハンドル１２」の概略構造について説明する。
【００３０】
すべり出し窓１０は、建物１４の屋外側と屋内側とを連通する開口部１６に沿って固定された正面視で矩形枠状の窓枠１８と、当該窓枠１８に固定された正面視で矩形枠状の「サッシ枠２０」と、当該サッシ枠２０に配置された「障子２２」とを備えている。
【００３１】
窓枠１８は、木製とされていると共に、その建物下方側の部分を構成する「窓台２４」を備えており、当該窓台２４は、開口部１６の建物下方側の周縁部に沿って配置された角柱状とされている。
【００３２】
一方、サッシ枠２０は、樹脂製とされていると共に、その建物下方側の部分を構成する「下枠２６」を備えており、当該下枠２６は、その屋内側の部分を構成する「固定片部２６Ａ」と、その屋外側の部分を構成する縦壁部２６Ｂとを含んで構成されている。
【００３３】
より詳しくは、固定片部２６Ａは、板厚方向を建物高さ方向とされると共に、窓台２４の上面に沿って当該窓台２４の長手方向に延びる板状とされている。また、固定片部２６Ａの屋内側の端部には、建物下方側に凹んだ凹部２８が設けられており、当該凹部２８の底部は、固定部材としての「ネジ３０」で窓台２４に固定されている。なお、凹部２８は、化粧部材３２で覆い隠されている。
【００３４】
一方、縦壁部２６Ｂは、固定片部２６Ａの屋外側の周縁部から建物上方側に延びる板状とされており、当該縦壁部２６Ｂには、オペレータハンドル１２が取り付けられている。
【００３５】
障子２２は、矩形の板状とされた窓ガラスと当該窓ガラスを囲む障子枠とを含んで構成されおり、図示しないリンク部材を介してサッシ枠２０に取り付けられている。この障子２２は、リンク部材がオペレータハンドル１２の操作によって駆動されることで回動し、開口部１６を開閉することが可能となっている。なお、上述した下枠２６の固定片部２６Ａは、縦壁部２６Ｂから障子２２と反対側に延出されて窓台２４に沿って配置されていると捉えることもできる。
【００３６】
オペレータハンドル１２は、操作部としての「ハンドル３４」と、当該ハンドル３４が取り付けられた基部３６とを備えている。ハンドル３４は、その主な部分を構成するハンドル本体部３８と、当該ハンドル本体部３８の先端部に取り付けられた操作つまみ４０とを備えている。なお、ハンドル本体部３８の基端部側には、ハンドル３４と基部３６との連結に用いられると共に先端部にベベルギアが設けられた図示しないハンドル軸が設けられている。
【００３７】
一方、基部３６は、その外殻を構成するケース４２、当該ケース４２の内側に配置された図示しないギアやスライダ等を備えている。ケース４２は、その長手方向を下枠２６の長手方向とされた略直方体状とされており、図２及び図４に示されるように、ケース４２の長手方向の両端部には、それぞれ延出部４２Ａが設けられている。この延出部４２Ａは、その建物上方側の部分を構成すると共に板厚方向を建物高さ方向とされた上壁部４２Ａ１と、その屋外側の部分を構成すると共に上壁部４２Ａ１の屋外側の周縁部から建物下方側に延びる側壁部４２Ａ２とを含んで構成されている。
【００３８】
そして、基部３６は、側壁部４２Ａ２を含むケース４２の屋外側の部分が下枠２６の縦壁部２６Ｂに沿って配置された状態で、側壁部４２Ａ２の屋内側から取付部材としての「ネジ４４」が螺入されることで、下枠２６に取り付けられている。
【００３９】
図５に戻り、ハンドル３４は、ケース４２の内側に配置された上記部品を介してサッシ枠２０に取り付けられたリンク部材と機械的に連結されている。そして、ハンドル３４は、操作されることで基部３６に対して回動可能とされており、当該ハンドル３４が回動することで上記リンク部材が駆動して、障子２２が回動（駆動）するようになっている。
【００４０】
ここで、本実施形態では、図４に示されるように、オペレータハンドル１２の建物下方側にその一部が配置された支持部材４６を備えていることに特徴がある。以下、本実施形態の要部を構成する支持部材４６の構成について詳細に説明することとする。
【００４１】
図１〜図３にも示されるように、支持部材４６は、「支持部４６Ａ」と、一対の「覆い部４６Ｂ」とを含んで構成されていると共に、樹脂製とされている。支持部４６Ａは、基部３６と固定片部２６Ａとの間にこれらに挟持された状態で配置されており、固定片部２６Ａの長手方向（下枠２６の長手方向）から見た断面形状が、屋外側（縦壁部２６Ｂ側）が開放された略Ｕ字とされている。なお、支持部４６Ａは、建物高さ方向から見て、その全部が基部３６と重なるように配置されているが、オペレータハンドル１２の構成等に応じて、その一部が基部３６と重なるように配置されていてもよい。
【００４２】
一方、覆い部４６Ｂは、支持部４６Ａの長手方向の端部に当該支持部４６Ａと一体に設けられると共に、第１側壁部４６Ｂ１と第２側壁部４６Ｂ２とを含んで、建物高さ方向から見て略Ｌ字状に構成されている。より詳しくは、第１側壁部４６Ｂ１は、支持部４６Ａの屋内側の部分を構成する正面壁部４６Ａ１と一体に設けられており、第２側壁部４６Ｂ２は、第１側壁部４６Ｂ１における支持部４６Ａと反対側の周縁部から屋外側に向かって延びている。
【００４３】
この覆い部４６Ｂには、図示しない係止部が設けられており、当該係止部は、基部３６の延出部４２Ａに設けられた図示しない被係止部に係止可能とされている。そして、覆い部４６Ｂの係止部が延出部４２Ａの被係止部に係止されることで、支持部材４６が基部３６に取り付けられている。なお、支持部材４６が基部３６に取り付けられた状態において、延出部４２Ａの側壁部４２Ａ２、すなわち基部３６におけるネジ４４の取付箇所は、屋内側から見て覆い部４６Ｂで覆われた状態となっている。
【００４４】
＜本実施形態の作用及び効果＞
次に、本実施形態の作用並びに効果を説明する。
【００４５】
本実施形態では、図５に示されるように、オペレータハンドル１２がハンドル３４と当該ハンドル３４が取り付けられた基部３６とを備えると共に、当該ハンドル３４が操作されることで障子２２が駆動される。
【００４６】
ところで、基部３６の下方側に配置された部材（下枠２６）と当該基部３６との間に隙間がある場合には、ハンドル３４が操作されるときに基部３６がぐらついて当該操作部を安定した状態で操作することが困難になることが考えられる。
【００４７】
ここで、本実施形態では、図１に示されるように、オペレータハンドル１２の下方側に支持部４６Ａが配置されており、当該支持部４６Ａによってオペレータハンドル１２の基部３６が支持される。これにより、オペレータハンドル１２のハンドル３４が操作されるときに基部３６がぐらつくことを抑制することができる。
【００４８】
ところで、すべり出し窓１０周辺の意匠性を確保するにあたって、オペレータハンドル１２の取付箇所は、化粧部材等で覆い隠されていることが好ましい。しかしながら、支持部４６Ａ及び化粧部材を別々の部材にすることは、施工時間を短縮するという観点において好ましくない。
【００４９】
ここで、本実施形態では、支持部４６Ａと一体に覆い部４６Ｂが設けられており、覆い部４６Ｂによってオペレータハンドル１２の取付箇所を覆うことができる。これにより、支持部４６Ａの配置と覆い部４６Ｂの配置とを一回の作業で行うことができる。したがって、本実施形態では、安定した状態でのハンドル３４の操作と、すべり出し窓１０周辺の意匠性の確保とを両立させつつ、施工時間の短縮を図ることができる。
【００５０】
また、本実施形態では、図２に示されるように、オペレータハンドル１２の基部３６が、障子２２が配置されたサッシ枠２０の下枠２６にネジ４４で取り付けられている。
【００５１】
ところで、ネジ４４が露出している状態だとサッシ枠２０におけるオペレータハンドル１２周辺の意匠性が損なわれることが考えられる。また、支持部４６Ａと覆い部４６Ｂとを一体化するにあたって、これらの大型化を抑制できることが好ましい。
【００５２】
ここで、本実施形態では、基部３６におけるネジ４４による取付箇所が、覆い部４６Ｂによって覆われている。このため、ネジ４４を覆い部４６Ｂで覆い隠すことができると共に、支持部４６Ａの配置位置と覆い部４６Ｂの配置位置とを近接させることができる。このため、本実施形態では、サッシ枠２０におけるオペレータハンドル１２の周辺の意匠性を確保しつつ、支持部４６Ａ及び覆い部４６Ｂの大型化を抑制することができる。
【００５３】
＜第２実施形態＞
以下、図６〜図９を用いて、本発明の第２実施形態に係るハンドル補強構造について説明する。なお、上述した第１実施形態と同一構成部分については同一番号を付してその説明を省略する。
【００５４】
図６及び図７に示されるように、本実施形態に係る支持部材５０は、「支持部５０Ａ」と、一対の「覆い部５０Ｂ」とを含んで構成されていると共に、樹脂製とされている。
【００５５】
図７及び図９にも示されるように、支持部５０Ａは、基部３６と固定片部２６Ａとの間にこれらに挟持された状態で配置されており、屋外側が開放された略箱状とされている。
【００５６】
一方、覆い部５０Ｂは、支持部５０Ａにおける固定片部２６Ａの長手方向一方側又は他方側の端部における固定片部２６Ａ側の部分から支持部５０Ａと反対側に延出された板状とされていると共に、上述した化粧部材３２の代わりとして機能している。
【００５７】
詳しくは、図８にも示されるように、覆い部５０Ｂの下面には、複数の係止部５０Ｂ１が設けられており、当該係止部５０Ｂ１は、固定片部２６Ａの凹部２８に設けられた被係止部２８Ａに係止可能とされている。そして、覆い部５０Ｂの係止部５０Ｂ１が凹部２８の被係止部２８Ａに係止されることで、支持部材５０が固定片部２６Ａに取り付けられると共に、凹部２８、すなわち下枠２６におけるネジ３０による固定箇所が、建物上方側から覆い部５０Ｂによって覆われた状態となっている。
【００５８】
なお、本実施形態では、図６に示されるように、基部３６の側壁部４２Ａ２は、化粧部材５２で覆い隠された状態となっている。
【００５９】
上記構成の本実施形態によれば、覆い部４６Ｂによる作用並びに効果を除き、上述した第１実施形態と基本的に同様の作用並びに効果を奏する。
【００６０】
加えて、本実施形態では、障子２２が配置されたサッシ枠２０の下枠２６に固定片部２６Ａが設けられており、当該固定片部２６Ａは、当該障子２２と反対側に延出されて窓台２４に沿って配置されると共にネジ３０で当該窓台２４に固定されている。
【００６１】
ところで、ネジ３０が露出している状態だとサッシ枠２０の下枠２６並びにその周辺部の意匠性が損なわれることが考えられる。また、支持部５０Ａと覆い部５０Ｂとを一体化するにあたって、これらの大型化を抑制できることが好ましい。
【００６２】
ここで、本実施形態では、固定片部２６Ａにおけるネジ３０による固定箇所が、覆い部５０Ｂによって覆われている。このため、ネジ３０を覆い部５０Ｂで覆い隠すことができると共に、支持部５０Ａの配置位置と覆い部５０Ｂの配置位置とを近接させることができる。したがって、本実施形態では、サッシ枠２０におけるオペレータハンドル１２周辺及び窓台２４におけるオペレータハンドル１２周辺の意匠性を確保しつつ、支持部５０Ａ及び覆い部５０Ｂの大型化を抑制することができる。
【００６３】
＜第３実施形態＞
以下、図１０を用いて、本発明の第３実施形態に係るハンドル補強構造について説明する。なお、上述した第１実施形態と同一構成部分については同一番号を付してその説明を省略する。
【００６４】
本実施形態に係る支持部としての「支持部材６０」は、窓台２４の長手方向に延びる角筒状とされていると共に、樹脂製とされている。また、支持部材６０は、基部３６におけるハンドル３４側（屋内側）の部分の下方側において、基部３６と窓台２４との間にこれらに挟持された状態で配置されている。
【００６５】
上記構成の本実施形態によれば、覆い部４６Ｂによる作用並びに効果を除き、上述した第１実施形態と基本的に同様の作用並びに効果を奏する。
【００６６】
ところで、本実施形態では、オペレータハンドル１２のハンドル３４が操作されることで当該ハンドル３４が回動する。このとき、基部３６には、ハンドル３４が操作されるときの操作力によってモーメントが発生することとなる。
【００６７】
ここで、本実施形態では、支持部材６０が、基部３６におけるハンドル３４側の部分の下方側を支持可能に配置されているため、ハンドル３４が操作されるときの操作力によって基部３６に発生するモーメントが大きくなることを抑制することができる。その結果、安定した状態でオペレータハンドル１２のハンドル３４を操作することができる。
【００６８】
＜第４実施形態＞
以下、図１１を用いて、本発明の第４実施形態に係るハンドル補強構造について説明する。なお、上述した第１実施形態と同一構成部分については同一番号を付してその説明を省略する。
【００６９】
本実施形態に係る支持部としての「支持部材７０」は、下枠２６の長手方向に延びる筒状とされていると共に、樹脂製とされている。より詳しくは、支持部材７０の長手方向から見た断面形状は、建物下方側から建物上方側に向かうに従って拡幅されると共に建物上方側でかつ屋内側の部分が屋内側に向かって張り出された台形状とされている。また、支持部材７０の下方側の部分を構成する下壁部７０Ａは、固定片部２６Ａの屋内側の端部の上面に沿って配置されており、支持部材７０の上方側の部分を構成する上壁部７０Ｂは、基部３６の下面に沿って配置されている。
【００７０】
つまり、支持部材７０は、基部３６と下枠２６との間にこれらに挟持された状態で配置されている。
【００７１】
上記構成の本実施形態によれば、覆い部４６Ｂによる作用並びに効果を除き、上述した第１実施形態と基本的に同様の作用並びに効果を奏する。
【００７２】
また、本実施形態では、支持部材７０の長手方向から見た断面形状を上記のようにすることで、支持部材７０を固定片部２６Ａ上に配置しても、基部３６におけるハンドル３４側の部分の下方側を支持することができる。
【００７３】
＜上記実施形態の補足説明＞
（１）  上述した実施形態では、支持部材４６、５０、６０、７０が樹脂製とされていたが、支持部材４６、５０、６０、７０は、金属製とされていてもよい。また、支持部４６Ａ、５０Ｂ及び支持部材６０、７０の形状も上述したものに限らず、中実柱状等適宜変更可能である。
【００７４】
（２）  さらに、上述した実施形態では、オペレータハンドル１２を備えたすべり出し窓１０に本実施形態に係るハンドル補強構造を適用したが、これに限らず、その他の構造のハンドルを備えた窓に本実施形態に係るハンドル補強構造を適用してもよい。
【符号の説明】
【００７５】
１２      オペレータハンドル（ハンドル）
２０      サッシ枠
２２      障子
２４      窓台
２６      下枠
２６Ａ    固定片部
３０      ネジ（固定部材）
３４      ハンドル（操作部）
４４      ネジ（取付部材）
４６Ａ    支持部
４６Ｂ    覆い部
５０Ａ    支持部
５０Ｂ    覆い部
６０      支持部材（支持部）
７０      支持部材（支持部）
【図１】
2020045691.tif 000003
【図２】
2020045691.tif 000004
【図３】
2020045691.tif 000005
【図４】
2020045691.tif 000006
【図５】
2020045691.tif 000007
【図６】
2020045691.tif 000008
【図７】
2020045691.tif 000009
【図８】
2020045691.tif 000010
【図９】
2020045691.tif 000011
【図１０】
2020045691.tif 000012
【図１１】
2020045691.tif 000013